(57)【要約】      （修正有）【課題】異物の侵入を防止して保護する結束機ハンドルを提供する。【解決手段】結束機ハンドルは、メインアーム１と、クランプアーム２と、操作ハンドル３と、カバー４と、を備えている。メインアームは前端からテープを引き出し、メインアームにはクランプアームを枢設し、且つクランプアームとメインアームとの間はばね１３により連結し、クランプアームが常態ではメインアームに対して開いている。クランプアームの前端にはテープ引き出し装置２１及びブレード１２を設置し、クランプアームがメインアームに向けて枢動すると、テープ引き出し装置によりメインアームからテープを引き出し、ブレードによりテープを剪断する。操作ハンドルはピボット３１によりクランプアームに枢設し、且つメインアームに位置決めしているフック部３３を設け、ユーザーが操作ハンドルを把持してクランプアームを作動するように制御する。カバーは操作ハンドルの両側に固定し、且つピボットとフック部との間のエリアのみを遮蔽している。【選択図】図２
0003231049.tif 000002
【実用新案登録請求の範囲】
【請求項１】
前端からテープを引き出すメインアームと、
前記メインアームに枢設しているクランプアームであって、前記クランプアームと前記メインアームとの間はばねにより連結し、前記クランプアームが常態では前記メインアームに対し開いており、前記クランプアームの前端にはテープ引き出し装置及びブレードを設置し、前記クランプアームが前記メインアームに向けて枢動すると、前記テープ引き出し装置が前記メインアームからテープを引き出し、前記ブレードによりテープを剪断するクランプアームと、
ピボットにより前記クランプアームに枢設し、且つ前記メインアームに位置決めしているフック部を設けている操作ハンドルであって、ユーザーが前記操作ハンドルを把持して前記クランプアームを作動するように制御する操作ハンドルと、
前記操作ハンドルの両側に固定し、且つ前記ピボットと前記フック部との間のエリアのみ遮蔽しているカバーと、を備えていることを特徴とする結束機ハンドル。
【考案の詳細な説明】
【技術分野】
【０００１】
本考案は、ハンドツールに関し、更に詳しくは、結束機に関する。
【背景技術】
【０００２】
従来の結束機は、メインアーム７１と、クランプアーム７２と、操作部材７３と、カバー７４とを有している（図７参照）。クランプアーム７２はメインアーム７１に枢設し、操作部材７３はクランプアーム７２に枢設し、カバー７４は操作部材７３に固定し、且つ後に向けて伸長部７４１を延出している。前記伸長部７４１の長さは操作部材７３よりも長く、押すためのハンドルを形成している。メインアーム７１は前端からテープを引き出し、クランプアーム７２の前端にはテープ引き出し装置７２１を設置している。前記伸長部７４１を押すと、操作部材７３が押動され、クランプアーム７２が連動されてメインアーム７１に向けて枢動し、クランプアーム７２がメインアーム７１に向けて枢動すると、前記テープ引き出し装置７２１により前記メインアーム７１からテープを引き出し、且つ対象物を結束した後に剪断する。
【考案の概要】
【考案が解決しようとする課題】
【０００３】
しかしながら、前述した従来の結束機技術では、ハンドルがカバー７４の伸長部７４１から一体形成されている。カバーの伸長部７４１は一般的にはプラスチックで製造されているため、強度が不足しており、長く押されていると湾曲して損壊し、使用を継続できなくなった。
【０００４】
そこで、本考案者は上記の欠点が改善可能と考え、鋭意検討を重ねた結果、合理的設計で上記の課題を効果的に改善する本考案の提案に至った。
【０００５】
本考案はこうした状況に鑑みてなされたものであり、その目的は、結束機ハンドルの構造改良を提供することにある。つまり、カバーは操作ハンドルの一側でピボットとフック部との間のエリアを遮蔽し、異物の侵入を防止して保護効果を達成する。
【課題を解決するための手段】
【０００６】
上記目的を達成するための主たる考案は、
前端からテープを引き出すメインアームと、
前記メインアームに枢設しているクランプアームであって、前記クランプアームと前記メインアームとの間はばねにより連結し、前記クランプアームが常態では前記メインアームに対し開いており、前記クランプアームの前端にはテープ引き出し装置及びブレードを設置し、前記クランプアームが前記メインアームに向けて枢動すると、前記テープ引き出し装置が前記メインアームからテープを引き出し、前記ブレードによりテープを剪断することと、
ピボットにより前記クランプアームに枢設し、且つ前記メインアームに位置決めしているフック部を設けている操作ハンドルであって、ユーザーが前記操作ハンドルを把持して前記クランプアームを作動するように制御することと、
前記操作ハンドルの両側に固定し、且つ前記ピボットと前記フック部との間のエリアのみ遮蔽しているカバーと、を備えていることを特徴とする結束機ハンドルの構造改良である。
【図面の簡単な説明】
【０００７】
【図１】本考案の一実施形態に係る結束機ハンドルの構造改良を示す外観斜視図である。
【図２】本考案の一実施形態に係る結束機ハンドルの構造改良を模式的に示した分解図である。
【図３】本考案に係る結束機ハンドルの構造改良の使用状態を示す概略図である。
【図４】本考案に係る結束機ハンドルの構造改良の使用状態を示す概略図である。
【図５】本考案に係る結束機ハンドルの構造改良の使用状態を示す概略図である。
【図６】本考案に係る結束機ハンドルの構造改良の使用状態を示す概略図である。
【図７】従来の結束機ハンドルを示す分解図である。
【考案を実施するための形態】
【０００８】
以下、本考案の実施の形態について、図面を参照して詳細に説明する。なお、本考案は以下の例に限定されるものではなく、本考案の要旨を逸脱しない範囲で、任意に変更可能であることは言うまでもない。
【０００９】
本明細書及び図面の記載により、少なくとも、以下の事項が明らかとなる。
【００１０】
図１及び図２は本考案に係る結束機ハンドルの構造改良を示し、メインアーム１と、クランプアーム２と、操作ハンドル３と、カバー４と、を備えている。メインアーム１の後端にはテープロールを収容するための収容部１１を設け、テープをメインアーム１の前端から引き出すようにする。前記メインアーム１の前端にはブレード１２を設けている。前記クランプアーム２は前記メインアーム１に枢設し、前記クランプアーム２と前記メインアーム１との間はばね１３により連結している。前記ばね１３により前記クランプアーム２が常態では前記メインアーム１に対して開いている。
【００１１】
前記操作ハンドル３は金属材質であり、ピボット３１により前記クランプアーム２に枢設している。前記操作ハンドル３にはユーザーが押すための延長部３２を後に向けて延出し、且つフック部３３を前に向けて延出している。前記フック部３３は前記メインアーム１の当接ポール１４に位置決めし、前記メインアーム１に対する前記クランプアーム２の開角度を制限している。
【００１２】
前記クランプアーム２の前端にはテープ引き出し装置２１を設置している。ユーザーが前記操作ハンドル３の延長部３２を押すと、図３及び図４に示されるように、前記操作ハンドル３が前記クランプアーム２を押動して前記メインアーム１に向けて枢動させ、前記テープ引き出し装置２１により前記メインアーム１からテープ５が引き出される。次いで、図５に示されるように、テープ５を対象物６の外側に巻き付け、前記延長部３２を押すと、図６に示されるように、前記操作ハンドル３が前記クランプアーム２を押動して前記メインアーム１に向けて枢動させ、前記ブレード１２によりテープ５を剪断する。
【００１３】
上述の前記操作ハンドル３の両側にはネジ４１によりカバー４をそれぞれロックし、保護作用を形成し、操作不良が起こらないように異物の侵入を防いでいる。さらに、前記カバー４は前記ピボット３１と前記フック部３３との間のエリアのみを遮蔽し、すなわち最も保護が必要なエリアである。これにより、保護作用を達成しつつ材料のコストを下げている。
【００１４】
以上、本考案の実施形態について図面を参照して詳述したが、具体的な構成はこの実施形態に限られるものではなく、本考案の要旨を逸脱しない範囲の設計変更等も含まれる。
【符号の説明】
【００１５】
１  メインアーム
１１  収容部
１２  ブレード
１３  ばね
１４  当接ポール
２  クランプアーム
２１  テープ引き出し装置
３  操作ハンドル
３１  ピボット
３２  延長部
３３  フック部
４  カバー
４１  ネジ
５  テープ
６  対象物
７１  メインアーム
７２  クランプアーム
７２１  テープ引き出し装置
７３  操作部材
７４  カバー
７４１  伸長部
【図１】
0003231049.tif 000003
【図２】
0003231049.tif 000004
【図３】
0003231049.tif 000005
【図４】
0003231049.tif 000006
【図５】
0003231049.tif 000007
【図６】
0003231049.tif 000008
【図７】
0003231049.tif 000009